(57)【特許請求の範囲】
【請求項１】
所定の表紙体内面に装着される綴じ具であって、
長片状に設けられたベースと、このベースの短寸幅方向一端側に回転可能に支持された複数の綴じ足と、前記綴じ足の回転を操作可能に設けられた操作部材とを備え、
前記綴じ足の先端側は、ベースの短寸幅方向他端縁に引っ掛け可能に設けられるとともに、当該引っ掛け状態で綴じ込み姿勢が保たれる一方、前記操作部材を所定操作したときに前記引っ掛けを解除して綴じ込み姿勢が解除され、
前記ベースの短寸幅方向他端縁には、当該他端縁に平面視凹状に開放して各綴じ足の先端を受容可能な切欠部が設けられるとともに、少なくとも一部の綴じ足は、その先端部分が前記切欠部の形成縁に引っ掛け可能に設けられ、且つ、綴じ足の先端側が切欠部の内側から外側に押されることで前記引っ掛け状態が強制的に解除可能に設けられていることを特徴とする綴じ具。
【請求項２】
所定の表紙体内面に装着される綴じ具であって、
長片状に設けられたベースと、このベースの短寸幅方向一端側に回転可能に支持された複数の綴じ足と、前記綴じ足の回転を操作可能に設けられた操作部材とを備え、
前記ベースの短寸幅方向他端縁は、略直線状に設けられ、
前記綴じ足の先端側は、ベースの短寸幅方向他端縁に引っ掛け可能に設けられるとともに、当該引っ掛け状態で綴じ込み姿勢が保たれる一方、前記操作部材を所定操作したときに、綴じ足の先端側が内側から外側に押されることで前記引っ掛けを解除して綴じ込み姿勢が解除されることを特徴とする綴じ具。
【請求項３】
前記ベースと表紙体内面部分との間に隙間を形成するスペーサが設けられ、前記隙間内に綴じ足の先端側が位置したときに前記引っ掛け姿勢が保たれることを特徴とする請求項１又は２記載の綴じ具。
【発明の詳細な説明】
【０００１】
【発明の属する技術分野】
本発明は綴じ具に係り、更に詳しくは、簡易な操作で綴じ足の閉ループを開閉することのできる綴じ具に関する。
【０００２】
【従来の技術】
従来より、ファイル、バインダー等においては、表紙の内面側に綴じ具が設けられている。この種の綴じ具としては、固定側分割綴じ足を有する細長い片状のベースと、このベースの長手方向一端側に回転可能に連結されるとともに、前記固定側分割綴じ足の先端に接して半円状の閉ループを形成する移動側分割綴じ足が設けられた回転部材を備えたものが知られている。このタイプの綴じ具は、前記回転部材の自由端側に設けられた引っ掛け部材をベースの端部に引っ掛けることで綴じ込み状態が確保できる一方、この引っ掛かりを解除することによって前記綴じ足が相互に離間可能となっている。
【０００３】
また、その他のタイプとしては、細長い片状のベースと、当該ベースの内部に配置されるとともに前記ベースの短寸幅方向両側から分割型の綴じ足がそれぞれ突出可能となる綴じ足保持体と、前記ベースの長手方向両端側に設けられて前記綴じ足を開放可能とする一対の操作部とを備えたものも知られている。
【０００４】
【発明が解決しようとする課題】
しかしながら、前記回転部材を回転させて綴じ足の開閉を行うタイプの綴じ具にあっては、前記引っ掛け部材とベースとの引っ掛かりを解除して書類の綴じ込み若しくは加除整理を行うときに、回転部材の支点側における綴じ足離間幅が自由端側の綴じ足離間幅よりも狭くなるため、書類のパンチング穴に対して綴じ足を挿入しずらいという不都合がある。この場合、前記回転部材をベース延出方向に対して大きく角度変化させる必要があり、この際に既に綴じ込まれている書類が綴じ足から不用意に抜け出てしまうという不都合を招来する。
【０００５】
また、前記一対の操作部材を用いて綴じ足を開放させる綴じ具にあっては、操作部分がベースの長手方向両端の二箇所に分散しているため、その操作性が必ずしも良好ではないという不都合がある他、ベース内の狭い空間内に板ばね等を配置する必要等もあり、部品点数を増大させて高価となるばかりでなく、組み立て作業を複雑にするという不都合がある。
【０００６】
更に、前記両タイプの綴じ具は、二分割型となる綴じ足を相互に突き合せて閉ループを形成するものであり、それらの突き合せ端面を相互に密着させて書類の抜けを防止するための凹凸等、特別な綴じ足形状が採用されており、これが成形用金型を複雑にする他、構成部品の成形精度若しくは組み立て誤差によっては、綴じ足相互の密着した突き合せ自体を不可能にするという不都合を招来する。
【０００７】
【発明の目的】
本発明はこのような不都合に着目して案出されたものであり、その目的は、書類の綴じ込み若しくは加除を極めて容易に行うことができるとともに、構成部品の僅かな形状変更によって部品点数の削減を図りつつ組み立てを容易化することができ、更に、薄型タイプとした綴じ込み構造とすることが可能な綴じ具を提供することにある。
【０００８】
【課題を解決するための手段】
前記目的を達成するため、本発明は、所定の表紙体内面に装着される綴じ具であって、
長片状に設けられたベースと、このベースの短寸幅方向一端側に回転可能に支持された複数の綴じ足と、前記綴じ足の回転を操作可能に設けられた操作部材とを備え、
前記綴じ足の先端側は、ベースの短寸幅方向他端縁に引っ掛け可能に設けられるとともに、当該引っ掛け状態で綴じ込み姿勢が保たれる一方、前記操作部材を所定操作したときに前記引っ掛けを解除して綴じ込み姿勢が解除され、
前記ベースの短寸幅方向他端縁には、当該他端縁に平面視凹状に開放して各綴じ足の先端を受容可能な切欠部が設けられるとともに、少なくとも一部の綴じ足は、その先端部分が前記切欠部の形成縁に引っ掛け可能に設けられ、且つ、綴じ足の先端側が切欠部の内側から外側に押されることで前記引っ掛け状態が強制的に解除可能に設けられる、という構成を採っている。このような構成によれば、綴じ足の先端側がベースに引っ掛かった状態で綴じ足とベースとにより閉ループが形成されることとなり、綴じられた書類が抜け出るような虞が全くなく、両者の成形精度が厳密に要求されることもない。また、綴じ足を綴じ込み位置に設定するときの作業を極めて容易に行うことができる他、綴じ込み姿勢の解除も操作部を操作するだけで足り、その操作性を良好に改善することが可能となる。しかも、ベースの面内に角穴を設けなくても、実質的に角穴に綴じ足を引っ掛けたのと同様の閉塞性を得ることができる。ここで、「閉塞性」とは、綴じ足の先端とベース面との間に隙間が生じないという意味で用い得る。また、綴じ足の先端側が切欠の形成縁に引っ掛かるため、単に綴じ足を綴じ込み位置に倒伏するだけで綴じ込みを完了することが可能となる。この際、綴じ足の断面形状が切欠部の内側空間に対応した形状であれば、綴じ足を綴じ込み位置としたときにジグザグな端縁が表れることがなく直線状となり、且つ、ベースの短寸幅を極力小さなものとすることが可能となる。また、全ての綴じ足を引っ掛けるものでないため、当該引っ掛け構造を設ける箇所を極力少なくすることができ、従って、部品形状もシンプルなものとなる。
【０００９】
また、本発明は、所定の表紙体内面に装着される綴じ具であって、
長片状に設けられたベースと、このベースの短寸幅方向一端側に回転可能に支持された複数の綴じ足と、前記綴じ足の回転を操作可能に設けられた操作部材とを備え、
前記ベースの短寸幅方向他端縁は、略直線状に設けられ、
前記綴じ足の先端側は、ベースの短寸幅方向他端縁に引っ掛け可能に設けられるとともに、当該引っ掛け状態で綴じ込み姿勢が保たれる一方、前記操作部材を所定操作したときに、綴じ足の先端側が内側から外側に押されることで前記引っ掛けを解除して綴じ込み姿勢が解除される、という構成を採っている。
【００１０】
【発明の実施の形態】
本発明において、前記ベースと表紙体内面部分との間に隙間を形成するスペーサが設けられ、前記隙間内に綴じ足の先端側が位置したときに前記引っ掛け姿勢が保たれる、という構成も併せて採用するとよい。これによれば、極めて簡易な構造により綴じ足の引っ掛け姿勢を安定的に保持することができ、確実に書類を綴じ込むことが可能となる。
【００１１】
【実施例】
以下、本発明に係る綴じ具の実施例を図面を参照しながら説明する。
【００１２】
［第１実施例］
図１には第１の実施例に係る綴じ具が適用されたファイルの全体構成図が示されている。この図において、ファイル１０は、中間に背表紙１１を介して連なる表表紙１２及び裏表紙１３と、この裏表紙１３の綴じ込み側内面に装着された綴じ具１５とを備えて構成されている。
【００１３】
前記綴じ具１５は、図２及び図３にも示されるように、裏表紙１３の内面に固定されるベース１７と、裏表紙１３とベース１７との間に配置されるとともに、当該ベース１７の長手方向に沿って所定量移動可能に設けられた操作部材としてのスライド部材１８と、ベース１７の短寸幅方向一端側に細長い軸ピン１９を介して回転可能に連結されるとともに、複数本の綴じ足２０の一端側を支持する綴じ足保持体２２とを備えて構成されている。
【００１４】
前記ベース１７は、裏表紙１３の上下方向長さよりも僅かに短い長片状に設けられているとともに、裏表紙１３の表面側から挿入される三個のリベット２３により装着されている。また、ベース１７の裏面側であってリベット２３の装着位置には、図４及び図５に示されるように、当該リベット２３を挿入する略円筒状のスペーサ２５がそれぞれ設けられ、これにより、ベース１７の裏面と裏表紙１３の内面との間に隙間Ｓが形成されるようになっている。ベース１７の短寸幅方向一端側（図４中左端側）には、前記軸ピン１９を介して綴じ足保持体２０を回転可能に支持するための軸受２６が所定間隔毎に設けられている。この一方、ベース１７の他端縁には、図６に示されるように、当該ベース１７の長手方向に沿って複数の切欠部２７が設けられ、この切欠部２７は、前記他端縁を開放する平面視凹状に形成されるとともに、その内側領域に各綴じ足２０の先端側を受容可能に設けられている。ここで、前記切欠部２７のうち、ベース１７の長手方向両端側にそれぞれ位置する二個の切欠部２７の形成縁には、綴じ足２０の先端側に引っ掛かり可能となる爪状部２８が形成されている。
【００１５】
前記スライド部材１８は、図２及び図３に示されるように、前記隙間Ｓ内に収容可能な外形をなす長片状に設けられている。このスライド部材１８の一端側には、ベース１７の長手方向端部より外側に位置する指掛け部３０が形成されている。スライド部材１８の長手方向両端近傍には、各スペーサ２５を貫通する楕円形状の穴３１（図５参照）が形成されている。そして、これらの穴３１に近接するスライド部材１８の側端縁は、短寸方向幅を若干拡げて部分的な鋸歯状を形成する傾斜縁３２としてそれぞれ形成されている。また、スライド部材１８の中間領域には、当該スライド部材１８の長手方向に沿って延びるスロット穴３３が形成されている。このスロット穴３３には、平面視ジグザグとなるばね部３５が連なっており、このばね部３５の先端には、中間に位置するスペーサ２５を挿入してこれに固定されるリング部３６が一体的に設けられている。
【００１６】
前記各綴じ足２０は、図６に示された位置において、綴じ足保持体２２の上面側から延びるとともに、ベース１７との間に閉ループを形成可能に設けられている。これら綴じ足２０のうち、所定間隔毎に設けられた四本の綴じ足３８は、図１及び図３に示されるように、先端側が相互に突き合う分割形状にそれぞれ設けられ、ベース１７の上面に連なるとともに、先端が斜面に形成された短寸の固定側綴じ足３８Ａと、この固定側綴じ足３８Ａの先端斜面に対応した先端面を有するとともに、綴じ足保持体２２に支持された移動側綴じ足３８Ｂとを備えている。また、これら綴じ足２０のうち、綴じ足保持体２２の長手方向両端側に位置する各二個の綴じ足３９は、図６及び図７に示されるように、ベース１７の切欠部２７を通って背表紙１３の内面にほぼ達する長さを備えている一方、当該綴じ足３９及び前記移動側綴じ足３８Ｂを除く他の綴じ足４０は、前記切欠部２７内を終端とする長さに設けられている。ここで、前記綴じ足３９の先端側には、凹部４２がそれぞれ形成されており、この凹部４２内において前記切欠部２７に形成された爪状部２８が引っ掛かり可能に設けられている。
【００１７】
前記綴じ足保持体２２は、図２に示されるように、ベース１７の長手方向に沿って延びるとともに、各綴じ足２０を保持する基片４３と、この基片４３に連なってベース１７の各軸受２４間に位置するとともに、軸ピン１９を介して相対回転可能に設けられた軸受４４とを備えて構成されている。
【００１８】
なお、図２中符号４６は、綴じ足保持体２２を綴じ込み解除方向に回転付勢するねじりばねを示す。
【００１９】
以上の構成において、本実施例に係る綴じ具１５は、綴じ込み姿勢に保たれた状態で、前記片側各二個の綴じ足３９の先端に位置する凹部４２が爪状部２８に引っ掛かるとともに、これより若干短く設けられた綴じ足４０の先端が切欠部２７内に位置し、また、固定側綴じ足３８Ａと移動側綴じ足３８Ｂとが相互に突き合されてそれぞれ閉ループを形成する。
【００２０】
この一方、前記スライド部材１８は、中間部のばね部３５によって常時は指掛け部３０がベース１７の端部に接触するように付勢され、この状態で、スライド部材１８の側縁部分に形成された前記鋸歯状の傾斜縁３２は、図７に示されるように、引っ掛け状態にある綴じ足３９に対して非接触の位置となる。
【００２１】
ここで、綴じ込み姿勢を解除すべく前述の閉ループを開放する場合には、前記スライド部材１８の指掛け部３０を外側（図７中左側）に引き出せばよい。これにより、前記傾斜縁３２によって綴じ足３９の先端側が内側から外側に押され、爪状部２８と綴じ足３９の凹部４２とによる引っ掛け状態が強制的に解除されることとなる。これと同時に、綴じ足保持体２２は、前述のねじりばね４６の作用によって閉ループを解除する方向に回転することとなる。
【００２２】
この一方、再び閉ループを形成する場合には、綴じ足２０を持って回転させ、綴じ足３９の凹部４２内に切欠部２７の爪状部２８が引っ掛かるように上方より押し込めばよい。
【００２３】
従って、このような第１実施例の構成によれば、指掛け部３０の引き出し操作のみによって閉ループの開放が可能となる一方、綴じ足２０を手で押し込み操作するだけで綴じ込み位置に設定可能となるから、書類の綴じ込み若しくは加除整理を極めて簡易且つ迅速に行えるという効果を得る。
【００２４】
また、固定側綴じ足３８Ａと移動側綴じ足３８Ｂとを除く他の綴じ足３９，４４０は、それらの先端が切欠部２７内に位置して閉ループを形成する構成であるから、突き合せ端面の寸法精度がさほど高くなくても確実に閉ループを形成可能となる。なお、図示構成例では、前記綴じ足３９，４０の図６中右側面よりベース１７の他端縁が突き出る構成としたが、これらを同一直線上に揃うように配置した構成に代替することもできる。これにより、ベース１７のコンパクト化を図ることができるばかりでなく、外観上の見栄えを良くすることが可能となる。
【００２５】
［第２実施例］
次に、本発明の第２の実施例を図８及び図９を参照しながら説明する。なお、以下の説明において、前記第１の実施例と同一若しくは同等の構成部分については必要に応じて同一符号を用いるものとし、説明を省略若しくは簡略にする。
【００２６】
第２の実施例は、ベース１７に切欠部２７を設けることなく各綴じ足２０の綴じ込み姿勢を維持可能に設けたところに特徴を有するものである。すなわち、ベース１７の短寸幅方向他端縁（図９中右端縁）は、略直線状に設けられるとともに、前記片側各二個の綴じ足３９の先端側には、前記ベース１７の他端縁に引っ掛かり可能な爪状突起４８が設けられており、これにより、綴じ込み姿勢とすべく綴じ足３９を倒伏させたときに、爪状突起４８が隙間Ｓ内に位置して閉ループを形成するようになっている。なお、閉ループを解除する場合には、第１の実施例と同様に指掛け部３０を引き出すことにより行うことができる。
【００２７】
従って、このような第２の実施例の構成によれば、ベース１７の形状をシンプルなものとすることができ、外観上の体裁を良好にすることが可能となる。また、ベース１７と裏表紙１３との間には隙間Ｓが形成されているので、爪状突起４８を無理なくベース１７に引っ掛けることができる。
【００２８】
なお、前記各実施例において、ベース１７側に引っ掛かる綴じ足３９は、綴じ足保持体２２の両側各二個としたが、片側各一個又は三個以上としてもよい。更に、引っ掛け可能となる綴じ足３９を綴じ足保持体２２の中央部領域にも設けることができる。
【００２９】
また、前記スペーサ２５は、図示構成例に限定されるものでなく、例えば、ベース１７の裏面外縁側に設け、当該ベース１７の裏面側を下向きコ字状に形成したものであってもよい。要するに、スペーサ２５は、内部にスライド部材１８を収容することができ、爪状突起４８を前記ベース１７の他端縁に引っ掛け可能に設けられていれば足りる。
【００３０】
【発明の効果】
以上説明したように、本発明によれば、綴じ足の先端側がベースの短寸幅方向他端側に引っ掛け可能に設けられ、操作部を所定操作することにより当該引っ掛けを解除可能となるように構成されているから、極めて簡易な構造により綴じ足の綴じ込み姿勢を保持することができるとともに、当該綴じ込み姿勢の解除も操作部を操作するだけで足り、従来構造に比べて操作性を良好に改善することが可能となる。また、ベースの面内に穴を設けることなく、穴に綴じ足を引っ掛けた場合と同様の閉塞性を保つことができる。
【００３１】
また、一部の綴じ足の先端側がベースに設けられた切欠の形成縁に引っ掛け可能に設けられているから、全ての綴じ足に引っ掛け構造を設けることなく、引っ掛け構造を設ける箇所を限定的なものとすることができ、部品形状もシンプルなものとなり、綴じ足の引っ掛け及びその解除を一層容易に行うことが可能となる。
【００３２】
更に、ベースと表紙体内面部分との間に隙間を形成するスペーサを設け、この隙間に綴じ足の先端側が位置したときに引っ掛け姿勢が保たれるから、部品形状をより一層シンプルなものとすることができ、且つ、綴じ足の閉ループを安定的に保つことができる。
【図面の簡単な説明】
【図１】第１実施例に係る綴じ具が適用されたファイルの概略斜視図。
【図２】前記綴じ具の分解斜視図。
【図３】図１の要部拡大斜視図。
【図４】図１のＡ−Ａ線に沿うベース側の拡大断面図。
【図５】図１のＢ−Ｂ線に沿うベース側の拡大断面図。
【図６】綴じ足が爪状部に引っ掛かっている状態を示す部分拡大断面図。
【図７】前記綴じ具の要部拡大正面図。
【図８】第２実施例に係る綴じ具の要部拡大斜視図。
【図９】図８の綴じ具の綴じ込み状態を示す部分拡大断面図。
【符号の説明】
１３  裏表紙
１５  綴じ具
１７  ベース
１８  スライド部材（操作部材）
２０  綴じ足
２５  スペーサ
２７  切欠部
３８  綴じ足
３９  綴じ足
４０  綴じ足
Ｓ  隙間
【図１】
0003738671.tif 000002
【図２】
0003738671.tif 000003
【図３】
0003738671.tif 000004
【図４】
0003738671.tif 000005
【図５】
0003738671.tif 000006
【図６】
0003738671.tif 000007
【図７】
0003738671.tif 000008
【図８】
0003738671.tif 000009
【図９】
0003738671.tif 000010